(57)【要約】【課題】  宛先確定操作を含めた、宛先情報入力操作全体としての煩雑さを回避すること。【解決手段】  記憶部８は、文字列からなる宛先情報をアルファベット順に記憶し、文字入力部１は、所定の文字を受入れ、宛先情報検索部５は、文字入力部１が受入れた文字を先頭文字とする宛先情報を上記記憶部８から検索し、表示部３は、上記文字入力部１が受入れた文字、及び上記宛先情報検索部５により検索された宛先情報を表示する。【選択図】        図１
2007108939.tif 000002
【特許請求の範囲】
【請求項１】
文字列からなる宛先情報をアルファベット順に記憶する記憶部と、
所定の文字を受入れる文字入力部と、
前記文字入力部が受入れた文字を先頭文字とする宛先情報を前記記憶部から検索する宛先情報検索部と、
前記文字入力部が受入れた文字、及び前記宛先情報検索部により検索された宛先情報を表示する表示部とを備えることを特徴とする宛先情報入力装置。
【請求項２】
前記宛先情報検索部は、
前記記憶部が、前記所定の文字を先頭文字とする宛先情報を複数格納していると、該複数の宛先情報の中から前記先頭文字の後に続く文字のアルファベット順に検索するアルファベット順検索機能を有することを特徴とする請求項１に記載の宛先情報入力装置。
【請求項３】
前記宛先情報検索部は、
前記記憶部が、前記所定の文字を先頭文字とする宛先情報を検索できないと、前記所定の文字にアルファベット順で最も近い宛先情報を検索する最近接宛先情報検索機能を有することを特徴とする請求項１に記載の宛先情報入力装置。
【請求項４】
前記宛先情報検索部により検索された宛先情報から前記記憶部に記憶されている順番に宛先情報を前記表示部に表示させる表示制御部と、
前記表示部に表示された宛先情報の選択・確定を行う宛先情報確定部とを更に備えることを特徴とする請求項１から請求項３までの何れか一項に記載の宛先情報入力装置。
【発明の詳細な説明】
【技術分野】
【０００１】
本発明は、電子メール等に於ける宛先情報を入力する宛先情報入力装置に関するものである。
【背景技術】
【０００２】
近年、電子メール等の普及によって、宛先情報入力装置の技術開発が進められている。この宛先情報入力装置では、そのハードウェア構成を小規模化するために、少数のキーに対して多数の文字や記号が割当てられている。例えばテンキーから所定の宛先を入力するためには、１つの英文字や記号を入力するためだけであっても、複数回のテンキー操作が求められる。従って、所定の宛先を入力し、確定するまでには多数回のテンキー操作が不可欠であった。この煩雑さを回避するための技術も公開されている（特許文献１参照）。
【０００３】
この技術では、テンキーの操作回数を減らすために、英数字の大文字と小文字とを容易に入力可能にすることを解決課題としている。その目的を達成するために、操作回数に基づいて所定の英数字を入力する入力手段と、英数字の入力を大文字、叉は小文字に切替える切替手段と、切替手段の操作に基づいて入力手段から入力される英数字を大文字叉は小文字に切替える制御手段とを備えている。その結果、１つの英文字や記号を入力するための煩雑さをある程度回避することを可能にしている。
【特許文献１】特開２００３−１２２４８５号公報
【発明の開示】
【発明が解決しようとする課題】
【０００４】
宛先情報入力装置では、例えばテンキーから所定の宛先情報を入力するためには、１つの英数字や記号を入力するためだけであっても、複数回のテンキー操作が求められている。その結果、宛先を入力して確定するまでには多数回のテンキー操作が不可欠であった。上記従来の技術は、１つの英数字や記号を入力するための煩雑さをある程度回避することを可能にしている。しかし、宛先の選択・確定を含めて、宛先情報入力操作全体としてテンキー操作を減らすことについては、あまり考慮されていない。本発明では、１つの英数字や記号を入力するための煩雑さを回避する方向のみでなく、宛先の選択・確定を含めた、宛先情報入力操作全体としての煩雑さ回避を解決課題とする。
【課題を解決するための手段】
【０００５】
本発明は、文字列からなる宛先情報をアルファベット順に記憶する記憶部と、所定の文字を受入れる文字入力部と、上記文字入力部が受入れた文字を先頭文字とする宛先情報を上記記憶部から検索する宛先情報検索部と、上記文字入力部が受入れた文字、及び上記宛先情報検索部により検索された宛先情報を表示する表示部とを備えることを特徴とする。
【発明の効果】
【０００６】
宛先情報をアルファベット順に記憶する記憶部と、所定の文字を受入れる文字入力部と、該文字入力部が受入れた文字を先頭文字とする宛先情報を上記記憶部から検索する宛先情報検索部とを備えることによって、宛先情報の先頭文字を入力するだけで宛先情報を検索することが出来るので、宛先情報を迅速に選択・確定できるという効果を得る。
【実施例】
【０００７】
本実施例による宛先情報入力装置では、宛先情報検索部にアルファベット順検索機能と最近接宛先検索機能とを有し、以下に記す２つの検索方法を可能にする。（１）アルファベット順検索機能に基づいて、テンキーを複数回連続して押下し、直接所望の頭文字を打ち込んで宛先情報を検索する。この方法では、所望の頭文字で始まる宛先情報が検索されるため、検索時間が短くて済むというメリットがある。しかしながら、テンキーを押下する回数が多い場合には、その操作を煩わしいと感じる利用者も発生することになる。（２）最近接宛先検索機能に基づいて、テンキーを少なく押下し、所望の頭文字で始まる宛先情報を、該頭文字とは異なる文字から検索を開始する。この方法では、テンキーを押下する回数が少ないため、操作者が、その操作を煩わしいと感じなくなる。以上の２つの検索方法を可能にするため本実施例による宛先情報入力装置は、以下のように構成される。
【０００８】
図１は、本発明による宛先情報入力装置の構成のブロック図である。
図に示すように宛先情報入力装置１００は、文字入力部１と、操作指示入力部２と、表示部３と、表示制御部４と、宛先情報検索部５と、宛先情報確定部６と、ＡｄｄｒｅｓｓＢｏｏｋモード設定部７と、記憶部８と、ＣＰＵ９と、ＲＯＭ１０と、ＲＡＭ１１と、共通バス１２とを備える。
図２は、オペレーションパネルの外観図である。
この図は、図１の説明において必要になる各種キーのオペレーションパネル上に於ける配設位置を表す図であり、１−１はテンキーを、２−１は十字キーを、３−１はＬＣＤを、６−１は選択キーを、６−２は確定キ−を、７−１はＡｄｄｒｅｓＢｏｏｋキーを、それぞれ表している。
図３は、宛先情報の格納状態説明図である。
図に示すように、宛先情報（電子メールアドレス）の文字列がアルファベット順にＡｄｄｒｅｓＢｏｏｋとして格納されている。
【０００９】
図１、図２、及び図３を用いて宛先情報入力装置１００の構成について詳細に説明する。
文字入力部１は、テンキー１−１を介して利用者から文字入力を受入れる部分である。この部分から宛先情報（電子メールアドレス）につながる文字又は文字列が利用者によって入力されることになる。テンキー１−１と入力される文字との関係についてその一例を示す。
【００１０】
各キーの文字への割振りの一例を以下に示す。
テンキー１−１ａを一回押下すると「１」が入力される。テンキー１−１ｂを１回押下すると「２」が入力される。２回続けて押下すると「ａ」が入力される。３回続けて押下すると「ｂ」が入力される。以降、テンキー１−１ｂの押下回数を増加させる毎に「ｃ」「Ａ」「Ｂ」「Ｃ」が入力される。テンキー１−１ｃを１回押下すると「３」が入力される。２回続けて押下すると「ｄ」が入力される。３回続けて押下すると「ｅ」が入力される。以降、テンキー１−１ｃの押下回数を増加させる毎に「ｆ」「Ｄ」「Ｅ」「Ｆ」が入力される。
【００１１】
テンキー１−１ｄを１回押下すると「４」が入力される。２回続けて押下すると「ｇ」が入力される。３回続けて押下すると「ｈ」が入力される。以降、テンキー１−１ｄの押下回数を増加させる毎に「ｉ」「Ｇ」「Ｈ」「Ｉ」が入力される。テンキー１−１ｅを１回押下すると「５」が入力される。２回続けて押下すると「ｊ」が入力される。３回続けて押下すると「ｋ」が入力される。以降、テンキー１−１ｅの押下回数を増加させる毎に「ｌ」「Ｊ」「Ｋ」「Ｌ」が入力される。
【００１２】
テンキー１−１ｆを１回押下すると「６」が入力される。２回続けて押下すると「ｍ」が入力される。３回続けて押下すると「ｎ」が入力される。以降、テンキー１−１ｆの押下回数を増加させる毎に「ｏ」「Ｍ」「Ｎ」「Ｏ」が入力される。テンキー１−１ｇを１回押下すると「７」が入力される。２回続けて押下すると「ｐ」が入力される。３回続けて押下すると「ｑ」が入力される。以降、テンキー１−１ｇの押下回数を増加させる毎に「ｒ」「ｓ」「Ｐ」「Ｑ」「Ｒ」「Ｓ」が入力される。
【００１３】
テンキー１−１ｈを１回押下すると「８」が入力される。２回続けて押下すると「ｔ」が入力される。３回続けて押下すると「ｕ」が入力される。以降、テンキー１−１ｈの押下回数を増加させる毎に「ｖ」「Ｔ」「Ｕ」「Ｖ」が入力される。テンキー１−１ｉを１回押下すると「９」が入力される。２回続けて押下すると「ｗ」が入力される。３回続けて押下すると「ｘ」が入力される。以降、テンキー１−１ｉの押下回数を増加させる毎に「ｙ」「ｚ」「Ｗ」「Ｘ」「Ｙ」「Ｚ」が入力される。
【００１４】
テンキー１−１ｊを１回押下すると「．」が入力される。２回続けて押下すると「＠」が入力される。テンキー１−１ｋを１回押下すると「０」が入力される。２回続けて押下すると「  」（スペース）が入力される。３回続けて押下すると「／」が入力される。以降、テンキー１−１ｋの押下回数を増加させる毎に「：」「−」「；」「，」「＊」「＋」「＝」「＿」「？」「！」「"」「＃」「＄」「％」「＆」「’」「^」「＜」「＞」が入力される。１−１ｌを１回押下すると入力した文字が削除される。
【００１５】
操作指示入力部２は、表示制御部４に対して宛先情報を記憶部８から１つずつ読み出してＬＣＤ３−１に転送することを指示する部分である。この指示は、十字キー２−１を介する利用者の要求によって実行される。又十字キー２−１を介する利用者の要求によってＬＣＤ３−１の表示をスクロールさせたり、ＬＣＤ３−１に表示されているカーソルを上下に動かしたりすることを表示制御部４に対して指示する部分でもある。
【００１６】
表示部３は、ＬＣＤ３−１を有し、操作指示入力部２の指示に基づいて表示制御部４が記憶部８の所定の領域から読み出す宛先情報を１つずつ受入れてＬＣＤ３−１に表示する部分である。本実施例では宛先情報を２つ表示できるものとする。叉、操作者の操作に対応する内容をＬＣＤ３−１に表示する部分でもある。ＬＣＤ３−１としては、通常液晶表示板が用いられる。
【００１７】
表示制御部４は、宛先情報検索部５によって検出された宛先情報を表示部３へ表示させる機能と、操作指示入力部２によって表示スクロールの指示がされたら、宛先情報検索部５によって検索された宛先情報から、宛先情報を順次表示部３上でスクロールする部分である。
【００１８】
宛先情報検索部５は、アルファベット順検索機能５−１と最近接宛先情報検索機能５−２とを有し、文字入力部１を介して利用者が入力した所定の文字又は文字列を受入れると、記憶部８を検索し、該文字又は文字列につながる電子メールアドレスを検索する部分である。検索は、アルファベット順に行なわれるので、入力されたアルファベットを頭文字とする宛先情報が複数存在する場合もありうる。かかる場合にはアルファベット順検索機能５−１が働いて、入力された文字に続く、次の文字を基準にして判断し、次の文字も同じならば、更にそれに続く文字・・・と、後に続く文字を次々と判断し、アルファベット順で早い方の宛先を検索することになる。
【００１９】
叉、該当する宛先情報が存在しない場合もありうる。かかる場合には、最近接宛先情報検索機能５−２が働いて、入力された文字（アルファベット）に対して、アルファベット順で前後に一番近い文字（アルファベット）から始まる宛先情報を継続して検索する。例えば、記憶部８には、図３に示す宛先情報が予め格納されているものとする。かかる場合には、一例としてテンキー１−１ｅから「ｊ」が入力されると、「ｊ」から始まる宛先は存在しないので、アルファベット順で一番近い、「ｌｍｍｖｖｖ＠ａｂｃ．ｃｏ．ｊｐ」が検索される。検索順番は、アルファベット順と逆アルファベット順とを交互に繰り返し、入力されたアルファベットに一番近いアルファベットで始まる宛先情報が見つかるまで繰返される。即ち、「ｊ」→「ｋ」→「ｉ」→「ｌ」→「ｈ」→「ｍ」の順番で検索される。
【００２０】
宛先情報確定部６は、選択キー６−１と確定キー６−２を有し、利用者に対して表示部３に所定の表示順番に従って表示される宛先情報の中から、所望する宛先情報を選択キー６−１を介して選択させ、且つ確定キー６−２を介して確定させる部分である。
【００２１】
ＡｄｄｒｅｓｓＢｏｏｋモード設定部７は、ＡｄｄｒｅｓｓＢｏｏｋキー７−１を有し、利用者によってＡｄｄｒｅｓｓＢｏｏｋキー７−１が押下されると記憶部８に格納されている宛先情報をＡｄｄｒｅｓｓＢｏｏｋモード（アルファベット順）で表示部３へ表示させることを設定する部分である。
【００２２】
記憶部８は、所定の文字列からなる電子メールアドレス（宛先情報）を図３に示すようにＡｄｄｒｅｓｓＢｏｏｋとして（アルファベット順に）予め格納する不揮発性メモリである。
【００２３】
ＣＰＵ９は、ＲＯＭ１０が予め格納する制御プログラムを実行することによって装置全体を制御するマイクロプロセッサである。本実施例では特にＲＯＭ１０が予め格納する所定の制御プログラムを実行することによって宛先情報検索部５（アルファベット順検索機能５−１と最近接宛先検索機能５−２）を実行する部分である。
【００２４】
ＲＯＭ１０は、ＣＰＵ９が実行することによって装置全体を制御する制御プログラムを予め格納するリードオンリメモリである。特に本実施例では、ＣＰＵ９が実行することによって宛先情報検索部５（アルファベット順検索機能５−１と最近接宛先検索機能５−２）を実行する制御プログラムを予め格納するリードオンリメモリである。
【００２５】
ＲＡＭ１１は、ＣＰＵ９が所定の制御プログラムを実行する過程で必要になる演算領域を提供するランダムアクセスメモリである。
共通バス１２は、上記各部分を接続する信号線である。
【００２６】
実施例の動作について説明する。
図４は、本発明による宛先情報入力装置の動作フローチャートである。
図のステップＳ００１からステップＳ０１２までステップ順に本発明による宛先情報入力装置１００（図１）の動作について説明する。
尚、動作説明の前提条件として記憶部８（図１）には図３に示す宛先情報（電子メールアドレス）が、予めアルファベット順に格納されているものとする。
【００２７】
ステップＳ００１
利用者がＡｄｄｒｅｓＢｏｏｋキー７−１（図１）を押下する。
ステップＳ００２
表示制御部４（図１）は、記憶部８（図１）に登録されている宛先情報リストをアルファベット順にＬＣＤ３−１（図１）に表示させる。例えば、図３の宛先情報リストのａａａｂｂｂ＠ａｂｃ．ｃｏ．ｊｐと、ｂａａｘｙｚ＠ｓｓｓ．ｃｏ．ｊｐの２つ（一例）が表示される。
【００２８】
ステップＳ００３
利用者が、宛先に指定したいアドレスの先頭のアルファベットを直接入力するか宛先に指定したいアドレスの近くのアドレスの先頭のアルファベットを入力する。例えば、利用者は、図３の宛先情報リストに於いて、先頭の文字がアルファベットの［ｌ］で始まる宛先情報、即ち、ｌｍｍｖｖｖ＠ａｂｃ．ｃｏ．ｊｐを選択したいとする。この時、使用者は、以下の二通りの検索方法を選択することが出来る。（１）テンキー１−１ｅを連続して４回押下し、直接［ｌ］を打ち込んで宛先情報を検索する。この方法では、［ｌ］で始まる所望の宛先情報、もしくは所望の宛先情報に近く、同じ［ｌ］で始まる宛先情報が検索されるため、検索時間が短くて済むというメリットがある。しかしながら、テンキー１−１ｅを押下する回数が多いため、その操作を煩わしいと感じる利用者もいる。（２）テンキー１−１ｅを連続して２回押下し、［ｊ］を打ち込んで宛先情報を検索する。この方法では、テンキー１−１ｅを押下する回数が少ないため、その操作を煩わしいと感じなくなる。ここでは、使用者が（２）を選択し、テンキー１−１ｅを連続して２回押下して［ｊ］を打ち込んだものとして説明する。
【００２９】
ステップＳ００４
宛先情報検索部５（図１）は、先頭の文字が、入力されたアルファベット（ここでは［ｊ］）から始まる宛先情報を記憶部８からアルファベット順に検索する。
ステップＳ００５
宛先情報検索部５（図１）が、先頭の文字が、入力された文字（ここでは［ｊ］）から始まる宛先情報を記憶部８から検索できたときにはステップＳ００６へ進み、検索できなかったときはステップＳ００８へ進む。
【００３０】
ステップＳ００６
表示制御部４（図１）は、宛先情報検索部５（図１）が検索した宛先情報まで宛先情報リストの表示をスクロールさせ、且つ、カーソルを移動させて、その宛先情報をＬＣＤ３−１の１行目に表示させる。尚、２行目以降は、１行目に表示された宛先情報から、宛先情報の通り、アルファベット順に並んでいる。
【００３１】
ステップＳ００７
利用者は、選択キー６−１（図２）を押下して宛先情報を選択する。利用者はステップＳ００５で、ＮＯと判断され、後述するステップＳ００８で継続検索された宛先情報が所望の宛先情報、即ち、ｌｍｍｖｖｖ＠ａｂｃ．ｃｏ．ｊｐであった場合には、そのまま選択キー６−１（図２）を押下して選択する。またｌｍｍｖｖｖ＠ａｂｃ．ｃｏ．ｊｐでなかった場合には、十字キー２−１（図２）を押下して宛先情報リストの表示をｌｍｍｖｖｖ＠ａｂｃ．ｃｏ．ｊｐまでスクロールさせてから選択キー６−１（図２）を押下して選択する。一方、ステップＳ００５で、ＹＥＳと判断され、表示された宛先情報が［ｊ］で始まる宛先情報であった場合には、十字キー２−１（図２）を押下して宛先情報リストの表示をｌｍｍｖｖｖ＠ａｂｃ．ｃｏ．ｊｐまでスクロールさせてから選択キー６−１（図２）を押下して選択する。
【００３２】
ステップＳ００８
宛先情報検索部５（図１）は、入力されたアルファベット（ここでは［ｊ］）に対して、アルファベット順で一番近い文字から始まる宛先を検索してステップＳ００６へ移る。例えば、宛先情報リストが図３に示す構成であった場合は、入力された［ｊ］に一番近いアルファベットで始まる宛先情報として、所望のｌｍｍｖｖｖ＠ａｂｃ．ｃｏ．ｊｐが直接検索されることになる。このような場合にはステップＳ００３説明した検索方法（１）、即ち、直接［ｌ］を打ち込んで検索する方法に比べて、テンキーを押下する回数が少ないため、検索を効果的に行うことが出来る。
【００３３】
ステップＳ００９
利用者が、他の宛先も選択する場合には、ステップＳ０１０へ移行する。確定する場合には、ステップＳ０１２へ移行する。
ステップＳ０１０
利用者が、十字キー２−１（図１）によって、選択したい宛先情報までカーソルを移動する場合にはステップＳ０１１へ移行する。文字を入力して宛先情報を検索する場合にはステップＳ００３へ移行する。
【００３４】
ステップＳ０１１
利用者は、所望の宛先情報がＬＣＤ３−１（図１）に表示されるまで、十字キー２−１（図１）によって、宛先情報を指し示すカーソルを移動させる。そしてステップＳ００７へ移行する。
【００３５】
ステップＳ０１２
利用者は確定キー６−２（図１）を押下して、Ｔｏ宛先（またはｃｃ宛先）に宛先が指定される。これによってフローは終了する。尚、ここではｌｍｍｖｖｖ＠ａｂｃ．ｃｏ．ｊｐを選択するために［ｊ］を打ち込んだが、テンキー１−１ｆを連続して２回押下し、［ｍ］を打ち込んで宛先情報を検索しても良い。
【００３６】
図５は、宛先情報の選択と確定の表示遷移図である。
この図を用いて、宛先情報の表示切替、選択、確定に至るまでに利用者が実行するキー操作によって、ＬＣＤ３−１（図１）に表示される内容について、ステップＫ００１からステップＫ００８までステップ順に説明する。
【００３７】
ステップＫ００１
利用者によってＡｄｄｒｅｓｓＢｏｏｋキー７−１（図１）が押下されると、ＬＣＤ３−１（図１）に宛先情報リスト（図３）の先頭の二つの宛先情報ａａａｂｂｂ＠ａｂｃ．ｃｏ．ｊｐ、とｂａａｘｙｚ＠ｓｓｓ．ｃｏ．ｊｐが表示される。ａａａｂｂｂ＠ａｂｃ．ｃｏ．ｊｐの先頭にカーソルが点灯している（Ｄ００１）。
【００３８】
ステップＫ００２
利用者がテンキー１−１ｅを１回押下すると、ａａａｂｂｂ＠ａｂｃ．ｃｏ．ｊｐの先頭にカーソル上に［５］が点灯する（Ｄ００２）。
【００３９】
ステップＫ００３
利用者が、続けて（Ｋ００２でテンキー１−１ｅを押下して２秒以内に）テンキー１−１ｅを押下すると、ａａａｂｂｂ＠ａｂｃ．ｃｏ．ｊｐの先頭にあるカーソル上にｊが点灯される。
【００４０】
ステップＫ００４
２秒経過すると、宛先情報が検索されて、ｌｍｍｖｖｖ＠ａｂｃ．ｃｏ．ｊｐとｎｂｃｎｂｃ＠ｓｓｓ．ｃｏ．ｊｐが表示される。これは、利用者が先頭が［ｊ］から始まる宛先情報を検索したが、ＡｄｄｒｅｓｓＢｏｏｋには［ｊ］から始まる宛先情報を登録されていなかったため、ＡｄｄｒｅｓｓｂＢｏｏｋに登録されている中でも、アルファベット順で［ｊ］に一番近いｌｍｍｖｖｖ＠ａｂｃ．ｃｏ．ｊｐが１度で検索されたことを示している。
【００４１】
ステップＫ００５
利用者が、選択キー６−１（図１）を押下して、宛先情報ｌｍｍｖｖｖ＠ａｂｃ．ｃｏ．ｊｐを選択すると、ｌｍｍｖｖｖ＠ａｂｃ．ｃｏ．ｊｐの先頭に［＊］が表示される（Ｄ００５）。ここで［＊］は、その宛先情報が選択されたことを示している。
【００４２】
ステップＫ００６
利用者が、続けて別の選択情報、例えばｎｂｃｎｂｃ＠ｓｓｓ．ｃｏ．ｊｐを選択する場合は、カーソルを１つ下方へ移動させる。
【００４３】
ステップＫ００７
利用者が、選択キー６−１を押下して、宛先情報ｎｂｃｎｂｃ＠ｓｓｓ．ｃｏ．ｊｐを選択すると、ｎｂｃｎｂｃ＠ｓｓｓ．ｃｏ．ｊｐの先頭に［＊］が表示される。
【００４４】
ステップＫ００８
利用者は、確定キー６−２を押下し、選択した宛先情報ｌｍｍｖｖｖ＠ａｂｃ．ｃｏ．ｊｐと、ｎｂｃｎｂｃ＠ｓｓｓ．ｃｏ．ｊｐを確定する。するとＴｏ宛先に確定した宛先情報が指定される（Ｄ００８）。
【００４５】
以上説明したように、本発明によれば、宛先情報の先頭文字を入力するだけで宛先情報を検索することが出来るので、宛先情報を迅速に選択確定できるという効果を得る。更に、入力する文字（アルファベット）で始まる宛先情報が記憶部に登録されていない場合であっても、入力したアルファベットに一番近いアルファベットで始まる宛先情報を継続して検索することが出来るため、宛先情報リストの構成によっては、テンキーを押下する回数を抑えつつ、所望の宛先情報を効果的に選択・確定することが出来るという効果を得る。
【産業上の利用可能性】
【００４６】
以上説明した本発明による宛先情報入力装置は、プリンタは勿論のこと、ファクシミリ装置、複写機、スキャナ装置、コピー装置、複合装置等にも適用可能である。
【図面の簡単な説明】
【００４７】
【図１】本発明による宛先情報入力装置の構成のブロック図である。
【図２】オペレーションパネルの外観図である。
【図３】宛先情報の格納状態説明図である。
【図４】本発明による宛先情報入力装置の動作フローチャートである。
【図５】宛先情報の選択と確定の表示遷移図である。
【符号の説明】
【００４８】
１    文字入力部
１−１    テンキー
２    操作指示入力部
２−１    十字キー
３    表示部
３−１    ＬＣＤ
４    表示制御部
５    宛先情報検索部
５−１    アルファベット順検索機能
５−２    最近接宛先情報検索機能
６    宛先情報確定部
６−１    選択キー
６−２    確定キー
７    ＡｄｄｒｅｅｓｓＢｏｏｋモード設定部
７−１    ＡｄｄｒｅｅｓｓＢｏｏｋキー
８    記憶部
９    ＣＰＵ
１０    ＲＯＭ
１１    ＲＡＭ
１２    共通バス
１００    宛先情報入力装置
【図１】
2007108939.tif 000003
【図２】
2007108939.tif 000004
【図３】
2007108939.tif 000005
【図４】
2007108939.tif 000006
【図５】
2007108939.tif 000007